(57)【特許請求の範囲】
【請求項１】
来訪者を知らせるインターホンと、センターサーバとからなるインターホンシステムにおけるセンターサーバであって、
ＳＮＳ（Social Network Service）を利用するユーザのアカウント情報を取得するアカウント情報取得手段と、
前記ＳＮＳのユーザ毎に当該ユーザを識別するためのユーザ識別情報を保持し、知人関係にあるユーザ同士を対応付けて管理しているＳＮＳサーバに、前記アカウント情報を用いてアクセスし、当該アカウント情報のユーザと知人関係にあるとして対応付けられている１以上のユーザについての情報を知人情報として取得する知人情報取得手段と、
前記インターホンから、来訪者を識別するための来訪者情報を取得する来訪者情報取得手段と、
前記知人情報と、前記来訪者情報とを照合する照合手段と、
前記照合手段による照合結果を、来訪者があった前記インターホンに通知する通知手段と、
を備えることを特徴とするセンターサーバ。
【請求項２】
前記センターサーバは、更に、
前記知人情報取得手段が取得した知人情報を、インターホンシステムを利用するユーザを識別するためのユーザ識別情報毎に対応付けた歓迎者情報を記憶する記憶手段を備え、
前記来訪者情報取得手段は、更に、前記インターホンから、当該インターホンを利用するユーザを示すユーザ識別情報を取得し、
前記照合手段は、前記歓迎者情報を参照して、前記来訪者情報取得手段が取得したユーザ識別情報に対応する知人情報に前記来訪者が登録されているか否かを照合する
ことを特徴とする請求項１記載のセンターサーバ。
【請求項３】
前記アカウント情報は、ユーザＩＤを含み、
前記ＳＮＳサーバは、ユーザＩＤ毎に、各ユーザＩＤで示されるユーザの知人の知人ユーザＩＤを対応付けた交友関係情報を保持し、
前記知人情報取得手段は、前記交友関係情報において、前記アカウント情報取得手段が取得したアカウント情報に含まれるユーザＩＤに対応付けられた知人ユーザＩＤに関連する情報を、前記知人情報として取得する
ことを特徴とする請求項２記載のセンターサーバ。
【請求項４】
前記知人情報とは、知人の顔写真のデータであり、
前記来訪者情報取得手段は、前記インターホンの呼び鈴を来訪者が鳴らしたときに当該来訪者を撮影した顔写真のデータを前記来訪者情報として取得し、
前記照合手段は、
前記歓迎者情報において前記来訪者情報取得手段が取得したユーザ識別情報に対応する知人情報の顔写真のデータに、前記来訪者情報取得手段が取得した顔写真のデータと所定以上類似する顔写真のデータがある場合に、来訪者が前記歓迎者情報に登録されていると判別する
ことを特徴とする請求項３記載のセンターサーバ。
【請求項５】
前記センターサーバは、更に、
前記知人情報取得手段が取得した顔写真のデータから、顔を検出する検出手段を備え、
前記記憶手段は、取得した顔写真のデータのうち、所定以上、正面を向いて撮影されたものを記憶する
ことを特徴とする請求項４記載のセンターサーバ。
【請求項６】
前記ＳＮＳサーバは、更に、ユーザのアカウント毎に、当該ユーザの国籍情報を保持し、
前記知人情報取得手段は、アカウント情報で示されるユーザＩＤに対応する知人ユーザＩＤで示されるユーザのうち、アカウント情報のユーザの国籍と同一の国籍の知人ユーザに関連する情報を前記知人情報として取得する
ことを特徴とする請求項４記載のセンターサーバ。
【請求項７】
前記ＳＮＳサーバは、前記アカウント情報に含まれるユーザＩＤのユーザページにアクセスしたユーザを特定するためのアクセスログを保持し、
前記知人情報取得手段は、前記交友関係情報において、アカウント情報で示されるユーザＩＤに対応する知人ユーザＩＤで示されるユーザのうち、現在から過去までの一定期間の間に前記ユーザページにアクセスしたユーザを前記アクセスログから特定し、特定したユーザに関連する情報を前記知人情報として取得する
ことを特徴とする請求項４記載のセンターサーバ。
【請求項８】
前記知人情報取得手段は、前記アカウント情報に含まれるユーザＩＤのユーザのブログにアクセスし、当該ブログにおいて、予め定められたキーワードに対応する写真データを前記知人情報として取得する
ことを特徴とする請求項４記載のセンターサーバ。
【請求項９】
前記記憶手段は、更に、前記インターホンから、来訪者があった場合であって当該来訪者が非歓迎者であることを示す情報を受け付けた場合に、前記来訪者情報取得手段が取得したユーザ識別情報に、来訪者の顔写真のデータを対応付けて、当該来訪者が非歓迎者であることを示す非歓迎者情報として記憶し、
前記照合手段は、更に、前記非歓迎者情報を参照して、前記来訪者情報取得手段が取得した顔写真で示される来訪者が非歓迎者であるか否かも照合し、
前記通知手段は、来訪者が、知人であるか、非歓迎者であるか、あるいはいずれでもないかを通知する
ことを特徴とする請求項４記載のセンターサーバ。
【請求項１０】
前記照合手段は、更に、前記知人情報において、前記来訪者情報取得手段が取得したユーザ識別情報に対応する知人ユーザの非歓迎者情報も参照して、来訪者が非歓迎者であるか否かを判別する
ことを特徴とする請求項９記載のセンターサーバ。
【請求項１１】
ＳＮＳ（Social Network Service）を利用するユーザのアカウント情報を取得するアカウント情報取得手段と、
前記ＳＮＳのユーザ毎に当該ユーザを識別するためのユーザ識別情報を保持し、知人関係にあるユーザ同士を対応付けて管理しているＳＮＳサーバに、前記アカウント情報を用いてアクセスし、当該アカウント情報のユーザと知人関係にあるとして対応付けられている１以上のユーザについての情報を知人情報として取得する知人情報取得手段と、
来訪者を識別するための来訪者情報を取得する来訪者情報取得手段と、
前記知人情報と、前記来訪者情報とを照合する照合手段と、
前記照合手段による照合結果に基づき、来訪者が知人であるか否かを報知する報知手段と、
を備えることを特徴とするインターホンシステム。
【請求項１２】
前記インターホンシステムは、複数のインターホンと、センターサーバを含み、
前記センターサーバは、
前記アカウント情報取得手段と、前記知人情報取得手段と、前記来訪者情報取得手段と、前記照合手段と、
前記照合手段による照合結果を、来訪者があったインターホンに通知する通知手段とを備え、
前記インターホンは、
前記報知手段と、
来訪者があった場合に、来訪者の顔写真を撮影する撮影手段と、
前記撮影手段により撮影した顔写真を前記センターサーバに送信する送信手段とを備え、
前記報知手段は、前記通知手段から通知された照合結果に基づき、来訪者が知人であるか否かを報知する
ことを特徴とする請求項１１記載のインターホンシステム。
【請求項１３】
前記センターサーバは、更に、
前記知人情報取得手段が取得した知人情報を、インターホンシステムを利用するユーザを識別するためのユーザ識別情報毎に対応付けた歓迎者情報を記憶する記憶手段を備え、
前記来訪者情報取得手段は、更に、前記インターホンから、当該インターホンを利用するユーザを示すユーザ識別情報を取得し、
前記照合手段は、前記歓迎者情報を参照して、前記来訪者情報取得手段が取得したユーザ識別情報に対応する知人情報に前記来訪者が登録されているか否かを照合する
ことを特徴とする請求項１２記載のインターホンシステム。
【請求項１４】
前記知人情報とは、知人の顔写真のデータであり、
前記照合手段は、
前記歓迎者情報において前記来訪者情報取得手段が取得したユーザ識別情報に対応する知人情報の顔写真のデータに、前記来訪者情報取得手段が取得した顔写真のデータと所定以上類似する顔写真のデータがある場合に、来訪者が前記歓迎者情報に登録されていると判別する
ことを特徴とする請求項１３記載のインターホンシステム。
【請求項１５】
前記センターサーバは、更に、
前記知人情報取得手段が取得した顔写真のデータから、顔を検出する検出手段を備え、
前記記憶手段は、取得した顔写真のデータのうち、所定以上、正面を向いて撮影されたものを記憶する
ことを特徴とする請求項１４記載のインターホンシステム。
【請求項１６】
前記ＳＮＳサーバは、更に、ユーザのアカウント毎に、当該ユーザの国籍情報を保持し、
前記知人情報取得手段は、アカウント情報で示されるユーザＩＤに対応する知人ユーザＩＤで示されるユーザのうち、アカウント情報のユーザの国籍と同一の国籍の知人ユーザに関連する情報を前記知人情報として取得する
ことを特徴とする請求項１４記載のインターホンシステム。
【請求項１７】
前記ＳＮＳサーバは、前記アカウント情報に含まれるユーザＩＤのユーザページにアクセスしたユーザを特定するためのアクセスログを保持し、
前記知人情報取得手段は、前記交友関係情報において、アカウント情報で示されるユーザＩＤに対応する知人ユーザＩＤで示されるユーザのうち、現在から過去までの一定期間の間に前記ユーザページにアクセスしたユーザを前記アクセスログから特定し、特定したユーザに関連する情報を前記知人情報として取得する
ことを特徴とする請求項１４記載のインターホンシステム。
【請求項１８】
前記知人情報取得手段は、前記アカウント情報に含まれるユーザＩＤのユーザのブログにアクセスし、当該ブログにおいて、予め定められたキーワードに対応する写真データを前記知人情報として取得する
ことを特徴とする請求項１４記載のインターホンシステム。
【請求項１９】
前記インターホンは、更に、
ユーザから来訪者を非歓迎者として登録する要求を受け付ける受付手段と、
前記受付手段が前記要求を受け付けた場合に、非歓迎者登録要求を前記センターサーバに送信する登録要求送信手段とを備え、
前記記憶手段は、更に、前記インターホンから、前記非歓迎者登録要求を受け付けた場合に、前記来訪者情報取得手段が取得したユーザ識別情報に、来訪者の顔写真のデータを対応付けて、当該来訪者が非歓迎者であることを示す非歓迎者情報として記憶し、
前記照合手段は、更に、前記非歓迎者情報を参照して、前記来訪者情報取得手段が取得した顔写真で示される来訪者が非歓迎者であるか否かも照合し、
前記通知手段は、来訪者が、知人であるか、非歓迎者であるか、あるいはいずれでもないかを通知する
ことを特徴とする請求項１４記載のインターホンシステム。
【請求項２０】
前記照合手段は、更に、前記知人情報において、前記来訪者情報取得手段が取得したユーザ識別情報に対応する知人ユーザの非歓迎者情報も参照して、来訪者が非歓迎者であるか否かを判別する
ことを特徴とする請求項１９記載のインターホンシステム。
【請求項２１】
来訪者を知らせるインターホンと、センターサーバとからなるインターホンシステムにおける来訪者報知方法であって、
前記センターサーバが、ＳＮＳ（Social Network Service）を利用するユーザのアカウント情報を取得するアカウント情報取得ステップと、
前記ＳＮＳのユーザ毎に当該ユーザを識別するためのユーザ識別情報を保持し、知人関係にあるユーザ同士を対応付けて管理しているＳＮＳサーバに、前記センターサーバが、前記アカウント情報を用いてアクセスし、当該アカウント情報のユーザと知人関係にあるとして対応付けられている１以上のユーザについての情報を知人情報として取得する知人情報取得ステップと、
前記センターサーバが、前記インターホンから、来訪者を識別するための来訪者情報を取得する来訪者情報取得ステップと、
前記センターサーバが、前記知人情報と、前記来訪者情報とを照合する照合ステップと、
前記センターサーバが、前記照合ステップによる照合結果を、来訪者があった前記インターホンに通知する通知ステップと、
前記通知ステップから通知された照合結果に基づき、前記インターホンがユーザに対して来訪者が知人であるか否かを報知する報知ステップと
を含むことを特徴とする来訪者報知方法。
【発明の詳細な説明】
【技術分野】
【０００１】
本発明はインターホンシステムに関する。
【背景技術】
【０００２】
従来、インターホンを利用するにあたって、来訪者があった場合に、来訪者がインターホンを利用するユーザの知人であるか否か、あるいは、ユーザにとって歓迎できない人物であるか否かを報知するインターホンシステムがある（例えば、特許文献１）。
特許文献１に記載のインターホンシステムでは、ユーザの家への訪問者それぞれについて、知人であることを示す知人情報をホワイトリストとして登録し、歓迎できない人物をブラックリストとして登録している。そして、次に、来訪者があった場合に、ホワイトリストとブラックリストとを照合して、来訪者が知人であるか、あるいは、非歓迎者であるかを判定している。
【先行技術文献】
【特許文献】
【０００３】
【特許文献１】特開２０１０−１１３６８２号公報
【発明の概要】
【発明が解決しようとする課題】
【０００４】
しかしながら、上記特許文献１では、ユーザが逐一、訪問者それぞれについて、ホワイトリストまたはブラックリストへの登録を実行しなければならないため、ユーザにとって、その手間が煩雑であるという問題がある。
そこで、本発明は上記課題に鑑みてなされたものであり、ユーザが知人の登録を行わずとも、来訪者が知人であるかどうかを判別できるインターホンシステムおよびこれに用いられるセンターサーバを提供することを目的とする。
【課題を解決するための手段】
【０００５】
上記課題を解決するため、本発明は、来訪者を知らせるインターホンと、センターサーバとからなるインターホンシステムにおけるセンターサーバであって、ＳＮＳ（Social Network Service）を利用するユーザのアカウント情報を取得するアカウント情報取得手段と、前記ＳＮＳのユーザ毎に当該ユーザを識別するためのユーザ識別情報を保持し、知人関係にあるユーザ同士を対応付けて管理しているＳＮＳサーバに、前記アカウント情報を用いてアクセスし、当該アカウント情報のユーザと知人関係にあるとして対応付けられている１以上のユーザについてのユーザ識別情報を知人情報として取得する知人情報取得手段と、前記インターホンから、来訪者を識別するための来訪者情報を取得する来訪者情報取得手段と、前記知人情報と、前記来訪者情報とを照合する照合手段と、前記照合手段による照合結果を、来訪者があった前記インターホンに通知する通知手段と、を備えることを特徴としている。
【０００６】
また、前記センターサーバは、更に、前記知人情報取得手段が取得した知人情報を、インターホンシステムを利用するユーザを識別するためのユーザ識別情報毎に対応付けた歓迎者情報を記憶する記憶手段を備え、前記来訪者情報取得手段は、更に、前記インターホンから、当該インターホンを利用するユーザを示すユーザ識別情報を取得し、前記照合手段は、前記歓迎者情報を参照して、前記来訪者情報取得手段が取得したユーザ識別情報に対応する知人情報に前記来訪者が登録されているか否かを照合することとしてもよい。
【０００７】
また、前記アカウント情報は、ユーザＩＤを含み、前記ＳＮＳサーバは、ユーザＩＤ毎に、各ユーザＩＤで示されるユーザの知人の知人ユーザＩＤを対応付けた交友関係情報を保持し、前記知人情報取得手段は、前記交友関係情報において、前記アカウント情報取得手段が取得したアカウント情報に含まれるユーザＩＤに対応付けられた知人ユーザＩＤに関連する情報を、前記知人情報として取得することとしてもよい。
【０００８】
また、前記知人情報とは、知人の顔写真のデータであり、前記来訪者情報取得手段は、前記インターホンの呼び鈴を来訪者が鳴らしたときに当該来訪者を撮影した顔写真のデータを前記来訪者情報として取得し、前記照合手段は、前記歓迎者情報において前記来訪者情報取得手段が取得したユーザ識別情報に対応する知人情報の顔写真のデータに、前記来訪者情報取得手段が取得した顔写真のデータと所定以上類似する顔写真のデータがある場合に、来訪者が前記歓迎者情報に登録されていると判別することとしてもよい。
【０００９】
また、前記センターサーバは、更に、前記知人情報取得手段が取得した顔写真のデータから、顔を検出する検出手段を備え、前記記憶手段は、取得した顔写真のデータのうち、所定以上、正面を向いて撮影されたものを記憶することとしてもよい。
また、前記ＳＮＳサーバは、更に、ユーザのアカウント毎に、当該ユーザの国籍情報を保持し、前記知人情報取得手段は、アカウント情報で示されるユーザＩＤに対応する知人ユーザＩＤで示されるユーザのうち、アカウント情報のユーザの国籍と同一の国籍の知人ユーザに関連する情報を前記知人情報として取得することとしてもよい。
【００１０】
また、前記ＳＮＳサーバは、前記アカウント情報に含まれるユーザＩＤのユーザページにアクセスしたユーザを特定するためのアクセスログを保持し、前記知人情報取得手段は、前記交友関係情報において、アカウント情報で示されるユーザＩＤに対応する知人ユーザＩＤで示されるユーザのうち、現在から過去までの一定期間の間に前記ユーザページにアクセスしたユーザを前記アクセスログから特定し、特定したユーザに関連する情報を前記知人情報として取得することしてもよい。
【００１１】
また、前記知人情報取得手段は、前記アカウント情報に含まれるユーザＩＤのユーザのブログにアクセスし、当該ブログにおいて、予め定められたキーワードに対応する写真データを前記知人情報として取得することとしてもよい。
また、前記記憶手段は、更に、前記インターホンから、来訪者があった場合であって当該来訪者が非歓迎者であることを示す情報を受け付けた場合に、前記来訪者情報取得手段が取得したユーザ識別情報に、来訪者の顔写真のデータを対応付けて、当該来訪者が非歓迎者であることを示す非歓迎者情報として記憶し、前記照合手段は、更に、前記非歓迎者情報を参照して、前記来訪者情報取得手段が取得した顔写真で示される来訪者が非歓迎者であるか否かも照合し、前記通知手段は、来訪者が、知人であるか、非歓迎者であるか、あるいはいずれでもないかを通知することとしてもよい。
【００１２】
また、前記照合手段は、更に、前記知人情報において、前記来訪者情報取得手段が取得したユーザ識別情報に対応する知人ユーザの非歓迎者情報も参照して、来訪者が非歓迎者であるか否かを判別することとしてもよい。
また、本発明に係るインターホンシステムは、ＳＮＳ（Social Network Service）を利用するユーザのアカウント情報を取得するアカウント情報取得手段と、前記ＳＮＳのユーザ毎に当該ユーザを識別するためのユーザ識別情報を保持し、知人関係にあるユーザ同士を対応付けて管理しているＳＮＳサーバに、前記アカウント情報を用いてアクセスし、当該アカウント情報のユーザと知人関係にあるとして対応付けられている１以上のユーザについてのユーザ識別情報を知人情報として取得する知人情報取得手段と、来訪者を識別するための来訪者情報を取得する来訪者情報取得手段と、前記知人情報と、前記来訪者情報とを照合する照合手段と、前記照合手段による照合結果に基づき、来訪者が知人であるか否かを報知する報知手段と、を備えることを特徴としている。
【００１３】
また、前記インターホンシステムは、複数のインターホンと、センターサーバを含み、前記センターサーバは、前記アカウント情報取得手段と、前記知人情報取得手段と、前記来訪者情報取得手段と、前記照合手段と、前記照合手段による照合結果を、来訪者があったインターホンに通知する通知手段とを備え、前記インターホンは、前記報知手段と、来訪者があった場合に、来訪者の顔写真を撮影する撮影手段と、前記撮影手段により撮影した顔写真を前記センターサーバに送信する送信手段とを備え、前記報知手段は、前記通知手段から通知された照合結果に基づき、来訪者が知人であるか否かを報知することとしてもよい。
【００１４】
また、前記センターサーバは、更に、前記知人情報取得手段が取得した知人情報を、インターホンシステムを利用するユーザを識別するためのユーザ識別情報毎に対応付けた歓迎者情報を記憶する記憶手段を備え、前記来訪者情報取得手段は、更に、前記インターホンから、当該インターホンを利用するユーザを示すユーザ識別情報を取得し、前記照合手段は、前記歓迎者情報を参照して、前記来訪者情報取得手段が取得したユーザ識別情報に対応する知人情報に前記来訪者が登録されているか否かを照合することとしてもよい。
【００１５】
また、前記知人情報とは、知人の顔写真のデータであり、前記照合手段は、前記歓迎者情報において前記来訪者情報取得手段が取得したユーザ識別情報に対応する知人情報の顔写真のデータに、前記来訪者情報取得手段が取得した顔写真のデータと所定以上類似する顔写真のデータがある場合に、来訪者が前記歓迎者情報に登録されていると判別することとしてもよい。
【００１６】
また、前記センターサーバは、更に、前記知人情報取得手段が取得した顔写真のデータから、顔を検出する検出手段を備え、前記記憶手段は、取得した顔写真のデータのうち、所定以上、正面を向いて撮影されたものを記憶することとしてもよい。
また、前記ＳＮＳサーバは、更に、ユーザのアカウント毎に、当該ユーザの国籍情報を保持し、前記知人情報取得手段は、アカウント情報で示されるユーザＩＤに対応する知人ユーザＩＤで示されるユーザのうち、アカウント情報のユーザの国籍と同一の国籍の知人ユーザに関連する情報を前記知人情報として取得することとしてもよい。
【００１７】
また、前記ＳＮＳサーバは、前記アカウント情報に含まれるユーザＩＤのユーザページにアクセスしたユーザを特定するためのアクセスログを保持し、前記知人情報取得手段は、前記交友関係情報において、アカウント情報で示されるユーザＩＤに対応する知人ユーザＩＤで示されるユーザのうち、現在から過去までの一定期間の間に前記ユーザページにアクセスしたユーザを前記アクセスログから特定し、特定したユーザに関連する情報を前記知人情報として取得することとしてもよい。
【００１８】
また、前記知人情報取得手段は、前記アカウント情報に含まれるユーザＩＤのユーザのブログにアクセスし、当該ブログにおいて、予め定められたキーワードに対応する写真データを前記知人情報として取得することとしてもよい。
また、前記インターホンは、更に、ユーザから来訪者を非歓迎者として登録する要求を受け付ける受付手段と、前記受付手段が前記要求を受け付けた場合に、非歓迎者登録要求を前記センターサーバに送信する登録要求送信手段とを備え、前記記憶手段は、更に、前記インターホンから、前記非歓迎者登録要求を受け付けた場合に、前記来訪者情報取得手段が取得したユーザ識別情報に、来訪者の顔写真のデータを対応付けて、当該来訪者が非歓迎者であることを示す非歓迎者情報として記憶し、前記照合手段は、更に、前記非歓迎者情報を参照して、前記来訪者情報取得手段が取得した顔写真で示される来訪者が非歓迎者であるか否かも照合し、前記通知手段は、来訪者が、知人であるか、非歓迎者であるか、あるいはいずれでもないかを通知することとしてもよい。
【００１９】
また、前記照合手段は、更に、前記知人情報において、前記来訪者情報取得手段が取得したユーザ識別情報に対応する知人ユーザの非歓迎者情報も参照して、来訪者が非歓迎者であるか否かを判別することとしてもよい。
また、本発明に係る来訪者報知方法は、来訪者を知らせるインターホンと、センターサーバとからなるインターホンシステムにおける来訪者報知方法であって、ＳＮＳ（Social Network Service）を利用するユーザのアカウント情報を取得するアカウント情報取得ステップと、前記ＳＮＳのユーザ毎に当該ユーザを識別するためのユーザ識別情報を保持し、知人関係にあるユーザ同士を対応付けて管理しているＳＮＳサーバに、前記アカウント情報を用いてアクセスし、当該アカウント情報のユーザと知人関係にあるとして対応付けられている１以上のユーザについてのユーザ識別情報を知人情報として取得する知人情報取得ステップと、前記インターホンから、来訪者を識別するための来訪者情報を取得する来訪者情報取得ステップと、前記知人情報と、前記来訪者情報とを照合する照合ステップと、前記照合手段による照合結果を、来訪者があった前記インターホンに通知する通知ステップと、前記通知ステップから通知された照合結果に基づき、前記インターホンがユーザに対して来訪者が知人であるか否かを報知する報知ステップとを含むことを特徴としている。
【発明の効果】
【００２０】
上述のような構成によって、ユーザが各訪問者について、ホワイトリストやブラックリストへの登録を行わずとも、センターサーバは、来訪者が知人であるか否かを判定することができる。また、初めて訪ねてきた人物についても、来訪者が知人であるか否かを判定することができる。
【図面の簡単な説明】
【００２１】
【図１】インターホンシステムのシステム構成を示すシステム図である。
【図２】インターホンの機能構成を示すブロック図である。
【図３】センターサーバの機能構成を示す機能構成図である。
【図４】ＳＮＳサーバの機能構成を示す機能構成図である。
【図５】ＳＮＳサーバが保持する知人情報のデータ概念図である。
【図６】センターサーバが保持する知人情報のデータ概念図である。
【図７】ＳＮＳサーバのユーザページの表示構成例である。
【図８】センターサーバに知人情報を作成する際の動作を示す図である。
【図９】インターホンからセンターサーバに送信されるアカウント情報の構成である。
【図１０】インターホンからセンターサーバに送信される来訪者情報の構成である。
【図１１】インターホンシステムの動作の概略を示す概略図である。
【図１２】センターサーバの歓迎者情報登録時の動作を示すフローチャートである。
【図１３】センターサーバの来訪者の照合動作を示すフローチャートである。
【図１４】センターサーバの非歓迎者情報登録時の動作を示すフローチャートである。
【図１５】インターホンの来訪者があった場合の動作を示すフローチャートである。
【図１６】変形例１におけるセンターサーバの動作を示すフローチャートである。
【図１７】変形例２におけるセンターサーバの動作を示すフローチャートである。
【発明を実施するための形態】
【００２２】
＜実施の形態＞
以下、本発明の一実施形態であるインターホンシステムについて図面を用いて説明する。
＜構成＞
図１は、本発明に係るインターホンシステムのシステム構成を示すシステム図である。本発明に係るインターホンシステムは、センターサーバ１００と、インターホン１１０ａ、１１０ｂとを含む。
【００２３】
図１に示すように、インターホン１１０ａ、１１０ｂは、センターサーバ１００とネットワーク１３０を介して接続されている。また、ネットワーク１３０には、ＳＮＳサーバ１２０も接続されている。
インターホン１１０ａは、室内親機１１１ａと玄関子機１１２ａとからなり、インターホン１１０ｂは、室内親機１１１ｂと玄関子機１１２ｂとからなる。なお、図１においては、２つのインターホンのみを示しているが、インターホンの台数はこれに限るものではなく、当然にこれ以上の台数が含まれてもよい。
【００２４】
本実施の形態において、各インターホンを利用するユーザは、ＳＮＳ（Social Network Service）を利用しているものとする。
センターサーバ１００は、各インターホン１１０ａ、１１０ｂのユーザから、それぞれのＳＮＳを利用するためのアカウント情報を取得する。そして、センターサーバ１００は、当該アカウント情報を用いて、それぞれの知人に関する知人情報をＳＮＳサーバ１２０から取得し、来訪者が知人であるか否かを判定することに用いる。
【００２５】
以下、センターサーバ１００、インターホン１１０ａ、ＳＮＳサーバ１２０の詳細な構成について説明する。
図２は、インターホン１１０ａの機能構成を示すブロック図である。インターホン１１０ａ、１１０ｂは、ユーザが来訪者と応対するために必要な一般的な機能の他、来訪者が知人であるか、非歓迎者であるか、あるいは、そうでないかを報知するための機能を有する。なお、インターホン１１０ｂは、インターホン１１０ａと同様の構成をとるので、インターホン１１０ｂについての詳細な説明は割愛する。
【００２６】
図２に示すように、インターホン１１０ａは、室内親機１１１ａと玄関子機１１２aとから構成される。
室内親機１１１ａは、ユーザの家屋の室内に設置され、ユーザが室内から来訪者に応対するために用いられる。
玄関子機１１２ａは、ユーザの家屋の玄関に設置され、来訪者がユーザを呼び出し、ユーザと応対するために用いられる。
【００２７】
室内親機１１１ａと玄関子機１１２ａとは互いに有線で接続され、室内親機１１１ａと玄関子機１１２ａとの間ではユーザと来訪者との間で交わされる会話の音声信号などの送受信が行われる。
図２に示すように、室内親機１１１ａは、通信部２１１と、操作部２１２と、上位Ｉ／Ｆ２１３と、モニタ２１４と、音声処理部２１５と、マイク２１６と、スピーカー２１７と、制御部２１８とから構成される。
【００２８】
通信部２１１は、ネットワーク１３０を介して、センターサーバ１００と通信する機能を有する。通信部２１１は、センターサーバ１００から送信された信号を受信して予め定められた変調方式に従って復調し、復調後の信号を制御部２１８に伝達する。また、通信部２１１は、制御部２１８から伝達された信号を予め定められた変調方式に従って変調し、変調後の信号をセンターサーバ１００に送信する。
【００２９】
操作部２１２は、ユーザからの入力を受け付ける機能を有する。操作部２１２は、ユーザから、ユーザが利用しているＳＮＳのアカウント情報の入力を受け付けたり、入力されたアカウント情報の送信指示を受け付けたり、来訪者がユーザにとって歓迎できない非歓迎者であった場合にその旨を示す入力を受け付けたりするのに用いる。操作部２１２は、受け付けた操作内容を示す信号を制御部２１８に伝達する。
【００３０】
上位Ｉ／Ｆ（Interface）２１３は、予め定められた通信方式（例えば、ＲＳ２３２Ｃ）に従って、下位Ｉ／Ｆ２２６と通信する機能を有する。上位Ｉ／Ｆ２１３は、音声処理部２１５から伝達された音声信号を下位Ｉ／Ｆ２２６に送信する。また、上位Ｉ／Ｆ２１３は、下位Ｉ／Ｆ２２６から音声信号を受信し、音声処理部２１５に伝達する。また、上位Ｉ／Ｆ２１３は、下位Ｉ／Ｆ２２６から映像信号を受信し、モニタ２１４や、制御部２１８に伝達する。また、上位Ｉ／Ｆ２１３は、下位Ｉ／Ｆ２２６から呼出ボタン２２２が押下された旨を示す信号を受信し、制御部２１８に伝達する。
【００３１】
モニタ２１４は、上位Ｉ／Ｆ２１３から伝達された映像信号に基づく映像を表示したり、制御部２１８から伝達された映像信号に基づく映像を表示したりする機能を有する。モニタ２１４は、例えば、ＬＣＤ（Liquid Crystal Display）であり、来訪者の顔画像や、ユーザがＳＮＳを利用するために用いるアカウント情報を入力するための入力画面などを表示する。
【００３２】
音声処理部２１５は、マイク２１６に入力された音声を音声信号に変換して上位Ｉ／Ｆ２１３に伝達する機能と、上位Ｉ／Ｆ２１３あるいは制御部２１８から伝達された音声信号に基づく音を、スピーカー２１７を介して出力する機能とを有する。上位Ｉ／Ｆ２１３からは来訪者の声に係る音声信号が、制御部２１８からは来訪者が知人であることや、非歓迎者であることを示す音声信号などが伝達される。
【００３３】
制御部２１８は、室内親機１１１ａの各部を制御する機能を有する。制御部２１８は、操作部２１２からアカウント情報を伝達された場合に、自機のユーザのユーザＩＤと対応付けて、センターサーバ１００に送信するよう通信部２１１に伝達する。制御部２１８は、操作部２１２から非歓迎者の登録要求を伝達された場合には、通信部２１１を介して、センターサーバ１００に非歓迎者登録要求を送信する。
【００３４】
また、制御部２１８は、操作部２１２からモニタ２１４をオンする操作がなされたことを受け付けた場合や上位Ｉ／Ｆ２１３から呼出ボタン２２２が押下された旨を示す信号を受け付けた場合に、モニタ２１４にオンを指示するとともに、上位Ｉ／Ｆ２１３に撮影開始を指示する信号を伝達し、下位Ｉ／Ｆ２２６を介して、カメラ２２１に送信させる。そして、制御部２１８は、操作部２１２からモニタ２１４をオフする操作がなされたことを受け付けた場合に、モニタ２１４にオフを指示するとともに、上位Ｉ／Ｆ２１３に撮影終了を指示する信号を伝達し、下位Ｉ／Ｆ２２６を介してカメラ２２１に送信させる。
【００３５】
また、制御部２１８は、上位Ｉ／Ｆ２１３から呼出ボタン２２２が押下された旨を示す信号を受け付けた場合に、自機のユーザのユーザＩＤと、カメラ２２１から伝達された映像信号に基づく画像とを対応付けた来訪者情報を、通信部２１１を介してセンターサーバ１００に送信する。
そして、制御部２１８は、通信部２１１から伝達された来訪者の照合結果を示す信号を解析し、その内容に応じて、予め記憶している来訪者が知人であることを示す音声信号、来訪者が非歓迎者であることを示す音声信号、来訪者が不明であることを示す音声信号のいずれかを選択して、音声処理部２１５に報知するように伝達するとともに、同内容を示す映像信号をモニタ２１４に伝達し、表示するよう指示する。
【００３６】
玄関子機１１２ａは、カメラ２２１と、呼出ボタン２２２と、音声処理部２２３と、マイク２２４と、スピーカー２２５と、下位Ｉ／Ｆ２２６とを備える。
カメラ２２１は、来訪者を撮影する機能を有する。カメラ２２１は、撮影開始信号を受け付けた場合に、撮影を開始し、撮影して得られる映像信号を下位Ｉ／Ｆ２２６に伝達する。また、カメラ２２１は、撮影終了信号を受け付けた場合に、撮影を終了する。
【００３７】
呼出ボタン２２２は、来訪者がユーザの家屋を訪ねた時に、来訪を告げるために押下するボタンである。呼出ボタン２２２は、来訪者により押下されると、来訪者がある旨を示す信号を下位Ｉ／Ｆ２２６に伝達する。
音声処理部２２３は、マイク２２４に入力された来訪者の音声を音声信号に変換して下位Ｉ／Ｆ２２６に伝達する機能と、下位Ｉ／Ｆ２２６から伝達された音声信号に基づく音を、スピーカー２２４を介して出力する機能とを有する。
【００３８】
下位Ｉ／Ｆ２２６は、上位Ｉ／Ｆ２１３と、予め定められた通信方式（例えば、ＲＳ２３２Ｃ）を用いて通信する機能を有する。下位Ｉ／Ｆ２２６は、上位Ｉ／Ｆ２１３から伝達された音声信号を音声処理部２２３に伝達する。また、下位Ｉ／Ｆ２２６は、カメラ２２１から伝達された映像信号を上位Ｉ／Ｆ２１３に送信する。また、下位Ｉ／Ｆ２２６は、上位Ｉ／Ｆから伝達された撮影開始の指示信号や、撮影終了の指示信号をカメラ２２１に伝達する。そして、下位Ｉ／Ｆ２２６は、呼出ボタン２２２から来訪者がある旨を示す信号を受け付けた場合に、上位Ｉ／Ｆ２１３に送信する。
【００３９】
以上がインターホンの機能構成である。
次に、センターサーバ１００について詳細に説明する。図３は、センターサーバ１００の機能構成を示すブロック図である。図３に示すように、センターサーバ１００は、通信部３１０と、制御部３２０と、記憶部３３０とを含む。
【００４０】
通信部３１０は、ネットワーク１３０を介して、インターホン１１０ａ、１１０ｂや、ＳＮＳサーバ１２０と通信する機能を有する。通信部３１０は、受信した信号を制御部３２０に伝達し、制御部３２０から伝達された信号を所定の変調方式に従って変調し、ネットワーク１３０に送信する。
制御部３２０は、センターサーバ１００の各部を制御する機能を有する。制御部３２０は、知人情報取得部３２１と、登録部３２２と、照合部３２３とを含む。
【００４１】
知人情報取得部３２１は、通信部３１０からアカウント情報を伝達されると、当該アカウント情報に含まれるユーザＩＤで示されるユーザの知人についての情報を取得する機能を有する。アカウント情報は、ユーザのＳＮＳにアクセスするための情報である。知人情報取得部３２１は、アカウント情報に含まれるＳＮＳユーザＩＤと、ＳＮＳパスワードとを用いて、ＳＮＳサーバ１２０にアクセスし、ＳＮＳユーザＩＤのユーザページにアクセスする。知人情報取得部３２１は、アクセスしたユーザページにおける知人情報領域にある各リンクのアドレスにアクセスして、それぞれの知人のユーザプロフィールにある顔写真を知人情報として取得し、登録部３２２に伝達する。アカウント情報や、ＳＮＳサーバ１２０が保持する情報、ユーザページの詳細については後述する。
【００４２】
登録部３２２は、通信部３１０から伝達されたアカウント情報に含まれるユーザＩＤと、知人情報取得部３２１から伝達された知人情報とを対応付けて、歓迎者情報３３１として、記憶部３３０に記録する機能を有する。
また、登録部３２２は、通信部３１０から非歓迎者登録要求を伝達されると、非歓迎者登録要求に含まれるユーザＩＤと、来訪者情報に含まれる顔写真を不審者情報として対応付け、非歓迎者情報３３２として、記憶部３３０に記録する機能も有する。
【００４３】
照合部３２３は、通信部３１０から来訪者情報を伝達された場合に、当該来訪者情報に含まれる顔写真が、来訪者情報に含まれるユーザＩＤに対応する歓迎者情報３３１、あるいは、非歓迎者情報３３２に登録されているか否かを照合する。照合部３２３は、来訪者情報の顔写真の特徴量の、歓迎者情報３３１や非歓迎者情報３３２に登録されている顔写真の特徴量に対する尤度が、所定の値以上であるか否かにしたがって、照合する。照合部３２３は、（i）来訪者の顔写真が歓迎者情報３３１にあると判定された場合には、知人である旨の情報をインターホンに送信するように通信部３１０に伝達し、（ii）来訪者の顔写真が非歓迎者情報３３２にあると判定された場合には、非歓迎者情報である旨の情報をインターホンに送信するように通信部３１０に伝達し、（iii）来訪者の顔写真が歓迎者情報３３１および非歓迎者情報３３２のいずれにもないと判定された場合には、来訪者が不明である旨の情報をインターホンに送信するように通信部３１０に伝達する。
【００４４】
なお、２つの顔写真に写る人物が同一人物であるか否かを判定する手法については、従来からあるので、ここでは、その詳細な判定手法については割愛する。
記憶部３３０は、センターサーバ１００が動作上必要とする各種プログラム、データを記憶する機能を有する。記憶部３３０は、照合部３２３が、来訪者が知人であるか否かを判定するために用いる歓迎者情報３３１と、来訪者が非歓迎者であるか否かを判定するために用いる非歓迎者情報３３２とを記憶している。記憶部３３０は、インターホンシステムを利用するユーザ毎に、歓迎者情報３３１と非歓迎者情報３３２とを記憶する。歓迎者情報３３１、非歓迎者情報３３２の詳細については後述する。
次に、ＳＮＳサーバ１２０について説明する。図４は、ＳＮＳサーバ１２０の機能構成を示すブロック図である。図４に示すようにＳＮＳサーバ１２０は、通信部４１０と、制御部４２０と、記憶部４３０とを含む。ＳＮＳサーバ１２０は、所謂Ｗｅｂサーバとしての機能を有し、ＳＮＳを提供する機能を有する。
【００４５】
通信部４１０は、ネットワーク１３０を介して、センターサーバ１００や、各種ネットワーク機器（ＰＣや携帯電話機など）と通信する機能を有する。
制御部４２０は、ＳＮＳサーバ１２０の各部を制御し、記憶部４３０に記憶されているユーザ情報を用いて、各ユーザにＳＮＳを提供する機能を有する。
記憶部４３０は、ＳＮＳサーバ１２０が動作上必要とする各種プログラムやデータを保持する機能を有する。記憶部４３０は、ＳＮＳを利用する各ユーザについてのユーザ情報４３１を保持する。ユーザ情報４３１の詳細については後述する。
＜データ＞
ここから、本実施の形態で利用される各種データについて説明する。
【００４６】
図５は、ＳＮＳサーバ１２０が保持する一ユーザについてのユーザ情報４３１のデータ構成を示すデータ概念図である。
図５に示すようにユーザ情報４３１は、ユーザＩＤ５００に、ユーザプロフィール５１０、知人ユーザ情報５２０、掲示板情報５３０、広告情報５４０などが対応付けられている。このほかには、ユーザのお気に入りのホームページへのリンク情報など、各ユーザに関連する情報が対応付けられていてもよい。
【００４７】
ユーザプロフィール５１０は、ユーザに関して直接に関連する情報が対応付けられており、例えば、図５に示すように、ユーザＩＤ５００のユーザの名前を示すユーザ名５１１、そのユーザの顔写真の情報である顔写真５１２、ユーザの誕生日を示す誕生日５１３、ユーザの国籍を示す国籍５１４が対応付けられている。その他にも、ユーザの身体的特徴や嗜好などの情報も対応付けられていてもよい。
【００４８】
知人ユーザ情報５２０は、ユーザＩＤ５００で示されるユーザの知人についての情報であり、各知人のＳＮＳにおけるユーザＩＤを示す知人ユーザＩＤ５２１、５２２が対応付けられている。
掲示板情報５３０は、ユーザＩＤ５００で示されるユーザのユーザページの掲示板において、示されるべき情報であり、書き込まれた日時、表示されるべき文書や写真などの情報が含まれる。
【００４９】
広告５４０は、ユーザＩＤ５００で示されるユーザのユーザページに表示される広告の情報である。
このようなユーザ情報４３１を保持することによって、ＳＮＳサーバ１２０は、ユーザページにアクセスしてきたＳＮＳの各ユーザに図６に示すようなユーザページを提供することができる。ここでユーザページを提供とは、各ユーザがアクセスに用いている機器（例えば、ＰＣ）のモニタに表示させることをいう。
【００５０】
図６に示すようにユーザページには、ユーザのプロフィールを表示するためのユーザプロフィール領域６０１と、ユーザの知人を示す知人情報領域６０２と、掲示板領域６０３と、広告領域６０４とが含まれる。その他にも、ユーザ情報４３１として保持している情報があれば、その分だけ表示する領域が含まれていてもよい。
知人情報領域６０２に示される各ユーザの名前や顔写真には、それぞれの知人のユーザページへのダイレクトリンクが対応付けられている。
【００５１】
図６に見られるように、ユーザプロフィール領域６０１には、ユーザ情報４３１に顔写真５１２があれば、ユーザの顔写真が表示される。したがって、知人情報領域６０２にある知人それぞれのユーザページにアクセスすれば、それぞれの知人の顔写真が取得できる。よって、センターサーバ１００はこの知人ユーザのユーザページのユーザプロフィールにある顔写真を知人情報として取得し、来訪者があった場合に、その来訪者が知人であるか否かの照合に用いる。
【００５２】
図７は、センターサーバ１００が保持する歓迎者情報３３１のデータ構成を示すデータ概念図である。
図７に示すように、歓迎者情報３３１は、ユーザＩＤ７０１に、知人情報７０２が対応付けられた情報である。
ユーザＩＤ７０１は、インターホンシステムを利用する各ユーザを識別するための識別情報である。
【００５３】
知人情報７０２は、ユーザＩＤ７０１で示されるユーザのＳＮＳのユーザページにアクセスした結果得られる知人の顔写真の情報であり、来訪者が知人であるか否かを照合するために用いられる。
図８は、センターサーバ１００が保持する非歓迎者情報３３２のデータ構成を示すデータ概念図である。
【００５４】
図８に示すように、非歓迎者情報３３２は、ユーザＩＤ８０１に、不審者情報８０２が対応付けられた情報である。
ユーザＩＤ８０１は、インターホンシステムを利用する各ユーザを識別するための識別情報である。
不審者情報８０２は、ユーザＩＤ８０１で示されるユーザが非歓迎者であると認定した人物の顔写真であり、来訪者が非歓迎者であるか否かを照合するために用いられる。
【００５５】
図９は、インターホンからセンターサーバ１００に送信されるアカウント情報のデータ概念図である。アカウント情報は、ユーザがセンターサーバ１００に歓迎者情報３３１を登録させるために送信する情報である。
図９に示すように、アカウント情報は、ユーザＩＤ９０１と、ＳＮＳユーザＩＤ９０２と、ＳＮＳパスワード９０３とが対応付けられた情報である。なお、ここには、記載していないが、情報を送信する際には、その他に、送信先や送信元、信号の内容が何であるか（ここでは、アカウント情報であることを示す情報）を示すヘッダ情報がこれに付加される。
【００５６】
ユーザＩＤ９０１は、インターホンシステムを利用する各ユーザを識別するための識別情報である。
ＳＮＳユーザＩＤ９０２は、ユーザＩＤ９０１に対応するユーザのＳＮＳを利用する際の識別情報である。
ＳＮＳパスワード９０３は、ＳＮＳを利用する際に入力を必要とするパスワードである。
【００５７】
図１０は、インターホンからセンターサーバ１００に送信される来訪者情報のデータ概念図である。
図１０に示すように、来訪者情報は、インターホンシステムにおけるユーザを識別するためのユーザＩＤ１００１と、来訪者を撮影して得られた来訪者顔写真１００２とが対応付けられた情報である。なお、ここには記載していないが、来訪者情報を送信する際には、その他に、送信先や送信元、信号の内容が何であるか（ここでは来訪者情報であることを示す情報）を示すヘッダ情報がこれに付加される。
＜動作＞
次に、本実施の形態の動作を図１１〜図１５に示すフローチャートを用いて説明する。
【００５８】
まず、図１１を用いて、本実施の形態に係るインターホンシステムの動作を概略的に説明した後に、センターサーバ１００、インターホン１１０ａの詳細な動作を説明する。図１１においては、インターホン１１０ａと、センターサーバ１００と、ＳＮＳサーバ１２０とのやり取りを示している。なお、インターホン１１０ａは、別のインターホンであってもよい。
【００５９】
インターホン１１０ａは、ユーザが入力したＳＮＳにアクセスするためのアカウント情報をセンターサーバ１００に送信する（ステップＳ１１０１）。
センターサーバ１００は、アカウント情報を受け付けると、当該アカウント情報を用いてＳＮＳサーバ１２０にアクセスする（ステップＳ１１０２）。
そして、センターサーバ１００は、ＳＮＳサーバ１２０が保持しているアカウント情報に含まれるＳＮＳユーザＩＤで示されるユーザの知人についての顔写真を知人情報として取得する（ステップＳ１１０３）。
【００６０】
そして、センターサーバ１００は、取得した知人情報を、アカウント情報で示されるユーザＩＤに対応付けて、歓迎者情報３３１に登録する（ステップＳ１１０４）。
これにより、センターサーバ１００は、インターホン１１０ａのユーザの家屋への来訪者が知人であるか否かの判定を行えるようになる。
インターホン１１０ａが備えられている家屋に来訪者があった場合に、来訪者はインターホン１１０ａに備え付けられている呼出ボタンを押下する。すると、インターホン１１０ａは、来訪者を撮影した来訪者顔写真を含む来訪者情報をセンターサーバ１００に送信する（ステップＳ１１０５）。
【００６１】
センターサーバ１００は、インターホン１１０ａから来訪者情報を受信すると、来訪者情報に含まれる来訪者顔写真に相当する顔写真が歓迎者情報３３１および非歓迎者情報３３２にあるか否かを照合する（ステップＳ１１０６）。
そして、センターサーバ１００は、その照合結果をインターホン１１０ａに送信する。インターホン１１０ａは、センターサーバ１００から受け取った照合結果に応じて、ユーザに、来訪者が知人である、非歓迎者である、不明であるなどの報知を行う。
【００６２】
以上のように、ユーザが知人情報の登録を行う手間を要することなく、来訪者が知人であるか否かの判定を実現できる。
図１２は、センターサーバ１００が歓迎者情報３３１に知人情報を登録する際の動作を示すフローチャートである。
センターサーバ１００の通信部３１０は、インターホンからアカウント情報を受信する（ステップＳ１２０１）。通信部３１０は、受信したアカウント情報を制御部３２０に伝達する。
【００６３】
制御部３２０の知人情報取得部３２１は、アカウント情報を受信すると、アカウント情報に含まれるＳＮＳユーザＩＤ９０２と、ＳＮＳパスワード９０３とを用いて、ＳＮＳサーバ１２０の、ユーザＩＤ９０２で示されるユーザのユーザページに、アクセスする（ステップＳ１２０２）。
知人情報取得部３２１は、アクセスしたユーザページの知人ユーザ情報５２０に含まれる知人ユーザＩＤ５２１、５２２、…を取得する（ステップＳ１２０３）。
【００６４】
知人情報取得部３２１は、取得した知人ユーザＩＤで示されるユーザのユーザページにアクセスし、そのユーザページに対応付けられている顔写真５１２を取得する（ステップＳ１２０４）。
知人情報取得部３２１は、取得した顔写真を登録部３２２に伝達する。登録部３２２は、伝達された顔写真を知人情報７０２として、アカウント情報に含まれるユーザＩＤ９０１に対応付け、歓迎者情報３３１として記憶部３３０に登録する（ステップＳ１２０５）。
【００６５】
センターサーバ１００は、ステップＳ１２０３において取得した知人ユーザＩＤすべてについて、顔写真を取得するまで、ステップＳ１２０４とＳ１２０５とを繰り返す。なお、知人のユーザページのユーザプロフィール５１０に顔写真が対応付けられていない場合には、その知人についての顔写真の取得を諦める。
このようにして、センターサーバ１００は、歓迎者情報３３１にユーザの知人についての情報を登録する。
【００６６】
図１３は、ユーザの家屋に来訪者があった場合のセンターサーバ１００の動作を示すフローチャートである。
センターサーバ１００の通信部３１０は、インターホンから来訪者情報を受信する（ステップＳ１３０１）。通信部３１０は、受信した来訪者情報を、制御部３２０に伝達する。
【００６７】
照合部３２３は、伝達された来訪者情報に含まれるユーザＩＤ９０１に対応する歓迎者情報３３１を記憶部３３０から取得する（ステップＳ１３０２）。
照合部３２３は、取得した歓迎者情報３３１の知人情報の顔写真それぞれと、来訪者情報の来訪者顔写真とを照合し、所定以上一致するか否かを判定する（ステップＳ１３０３）。
【００６８】
来訪者情報の来訪者顔写真と所定以上一致する顔写真が歓迎者情報３３１にあった場合に（ステップＳ１３０３のＹＥＳ）、照合部３２３は、通信部３１０に来訪者が知人である旨を、来訪者情報を送信してきたインターホンに、通知するように指示して（ステップＳ１３０４）終了する。
来訪者情報の来訪者顔写真と所定以上一致する顔写真が歓迎者情報３３１になかった場合に（ステップＳ１３０３のＮＯ）、照合部３２３は、来訪者情報に含まれるユーザＩＤ９０１に対応する非歓迎者情報３３２を記憶部３３０から取得する（ステップＳ１３０５）。
【００６９】
そして、照合部３２３は、取得した非歓迎者情報３３２の不審者情報８０２の顔写真それぞれと、来訪者情報の来訪者顔写真とを照合し、所定以上一致するか否かを判定する（ステップＳ１３０６）。
来訪者情報の来訪者顔写真と所定以上一致する顔写真が非歓迎者情報３３２にあった場合に（ステップＳ１３０６のＹＥＳ）、照合部３２３は、通信部３１０に非歓迎者である旨を、来訪者情報を送信してきたインターホンに、通知するように指示して（ステップＳ１３０７）終了する。
【００７０】
来訪者情報の来訪者顔写真と所定以上一致する顔写真が非歓迎者情報３３２にもなかった場合に（ステップＳ１３０６のＮＯ）、照合部３２３は、通信部３１０に来訪者が不明である旨を、来訪者情報を送信してきたインターホンに、通知するように指示して（ステップＳ１３０８）終了する。
ステップＳ１３０４、Ｓ１３０７、Ｓ１３０８でなされた通知を受けることで、インターホンは、ユーザに対して、スピーカー２１７を介して「来訪者は知人です」と報知したり、モニタ２１４に、「来訪者は非歓迎者です」という文書を表示したりして、ユーザに来訪者の情報を報知する。
【００７１】
次に非歓迎者情報の登録について説明する。図１４は、非歓迎者情報を登録する際のセンターサーバ１００の動作を示すフローチャートである。図１４に示す処理は、図１３に示す処理と並行に実行される。
センターサーバ１００は、インターホンから来訪者情報を受信する（ステップＳ１３０１）。
【００７２】
インターホンを利用するユーザは、来訪者が今後来て欲しくない人物であった場合には、操作部２１２に来訪者が非歓迎者である旨の入力を行う。当該入力を受け付けた場合、制御部２１８は、非歓迎者登録要求をセンターサーバ１００に送信することになる。
センターサーバ１００の登録部３２２は、インターホンから来訪者情報を受信した後、所定期間内に、同じインターホンから非歓迎者登録要求があるか否かを検知する（ステップＳ１４０１）。
【００７３】
所定期間内に、インターホンから非歓迎者登録要求があった場合には（ステップＳ１４０１のＹＥＳ）、登録部３２２は、来訪者情報に含まれていたユーザＩＤ１００１と来訪者顔写真１００２とを対応付けて非歓迎者情報３３２として登録する（ステップＳ１４０２）。
非歓迎者登録要求がないまま所定期間が経過した場合には（ステップＳ１４０１のＮＯ）、処理を終了する。
【００７４】
これにより、センターサーバ１００には、非歓迎者の情報も登録されることとなる。
最後に、インターホンにおける来訪者情報の送信動作、および、来訪者についての情報の報知動作を図１５のフローチャートを用いて説明する。
図１５は、来訪者があったときのインターホンの動作を示すフローチャートである。
まず、来訪者により、インターホンの呼出ボタン２２２が押下される（ステップＳ１５０１）。呼出ボタン２２２が押下されると、下位Ｉ／Ｆ２２６はその旨を上位Ｉ／Ｆ２１３に伝達する。上位Ｉ／Ｆ２１３は、呼出ボタン２２２が押下された旨を制御部２１８に伝達する。
【００７５】
呼出ボタン２２２が押下された旨を受けた制御部２１８は、カメラ２２１に向けて撮影開始の指示を、上位Ｉ／Ｆ２１３、下位Ｉ／Ｆ２２６を介して伝達する。撮影開始の指示を受けてカメラ２２１は撮影を開始し（ステップＳ１５０２）、得られる映像信号を下位Ｉ／Ｆ２２６に伝達する。当該映像信号は、更に上位Ｉ／Ｆ２１３を介して制御部２１８およびモニタ２１４に伝達されて、モニタ２１４には、映像信号に基づく映像が表示される。
【００７６】
また、制御部２１８は、呼出ボタン２２２の押下を受けて、伝達された映像信号に基づく画像を来訪者情報とし、通信部２１１を介して、センターサーバ１００に送信させる（ステップＳ１５０３）。
制御部２１８は、操作部２１２から、ユーザにより非歓迎者登録を要求する入力がされた旨を伝達されたかを監視する（ステップＳ１５０４）。非歓迎者登録を要求する入力がなされた旨を操作部２１２から受け付けた場合（ステップＳ１５０４のＹＥＳ）、制御部２１８は、通信部２１１を介して、非歓迎者登録要求をセンターサーバ１００に送信して終了する。
【００７７】
非歓迎者登録を要求する入力がない場合には（ステップＳ１５０４のＮＯ）、制御部２１８は、通信部３１０から、来訪者の照合結果を受信したかを監視する（ステップＳ１５０７）。
照合結果を受信した場合には（ステップＳ１５０７のＹＥＳ）、制御部２１８は、その照合結果に基づく来訪者についての情報を報知し（ステップＳ１５０８）、処理を終了する。制御部２１８は、照合結果に含まれる情報が、来訪者が知人であることを示す場合には、来訪者が知人であることを示す情報をモニタ２１４に表示させ、音声処理部２１５に、その旨を示す音声を報知させる。制御部２１８は、照合結果に含まれる情報が、来訪者が非歓迎者であることを示す場合には、来訪者が非歓迎者であることを示す情報をモニタ２１４に表示させ、音声処理部２１５に、その旨を示す音声を報知させる。制御部２１８は、照合結果に含まれる情報が、来訪者が知人でも非歓迎者でもないことを示す場合には、来訪者が不明であることを示す情報をモニタ２１４に表示させ、音声処理部２１５に、その旨を示す音声を報知させる。照合結果を受信していない場合には（ステップＳ１５０７のＮＯ）、ステップＳ１５０４に戻る。
【００７８】
以上が、インターホンシステムの詳細である。本実施の形態に示すように、ユーザは、ＳＮＳを利用するためのアカウント情報をセンターサーバ１００に送信するだけで、知人についての情報がセンターサーバ１００に登録され、来訪者が知人か否かの照合が行われるので、インターホンシステムを利用するユーザの利便性を向上させることができる。
＜変形例１＞
上記実施の形態においては、知人情報を取得する際に、ユーザページに登録されている知人ユーザＩＤの顔写真を全て取得することとした。しかし、知人の人数が多い場合には多くの顔写真情報を登録することになり、場合によっては、センターサーバ１００の記憶部３３０の記憶容量を圧迫する一因となり得る。
【００７９】
そこで、本変形例１においては、取得する知人情報の絞り込みについて説明する。ユーザを訪ねてくる可能性が高い知人は、当然、同じ国に住む人物ということになる。そこで、変形例１においては、同一国籍の人間という条件で絞り込みをかける。
図１６は、変形例１における知人情報取得部３２１の動作を示すフローチャートである。図１６に示す動作は、図１２におけるステップＳ１２０４の換わりに実行される。
【００８０】
知人ユーザ情報を取得した後、知人情報取得部３２１は、ユーザＩＤ５００に対応付けられている国籍５１４を取得する（ステップＳ１６０１）。
次に知人情報取得部３２１は、知人ユーザＩＤで示されるユーザのユーザＩＤに対応付けられている国籍を取得する（ステップＳ１６０２）。
そして、知人情報取得部３２１は、ステップＳ１６０１で取得した国籍と、ステップＳ１６０２とが一致するか否かを判定する（ステップＳ１６０３）。
【００８１】
国籍が一致する場合には（ステップＳ１６０３のＹＥＳ）、知人情報取得部３２１は、知人ユーザのユーザＩＤに対応付けられている顔写真を取得する（ステップＳ１６０４）。
国籍が一致しない場合には（ステップＳ１６０３のＮＯ）、その知人ユーザはユーザからみて他国におり、早々ユーザを訪ねてくることはないので、その知人ユーザの顔写真は取得しない。
【００８２】
このような構成を備えることで、センターサーバ１００は、取得する知人ユーザの顔写真の取得に制限を加え、歓迎者情報３３１の増大を防ぐことができる。また、顔写真の総数を抑えることで、来訪者情報を受け付けたときの照合のための時間が長くなることを防げる。
＜変形例２＞
本変形例２においては、上記＜変形例１＞とは異なる絞り込み方法について説明する。
【００８３】
ＳＮＳにおいては、一度、知人として登録された場合には、登録解消手続を行わないと、永遠に知人として登録されたままになる。しかしながら、登録されている知人の中には、既に疎遠になってしまっている人物もいる可能性がある。そのような人物を歓迎者情報に登録しても無駄になる可能性が高い。そこで本変形例３においては、そのような無駄を排除できる構成を開示する。
【００８４】
ここで、ＳＮＳサーバ１２０は、ユーザ情報４３１に、それぞれ、ユーザページにアクセスしてきたユーザのユーザＩＤとそのアクセス日時を対応付けたアクセスログ情報を保持しているものとする。
また、センターサーバ１００およびＳＮＳサーバ１２０は、日時を出力するための時計（図示せず）を備えているものとする。
【００８５】
図１７は、本変形例２における知人情報取得部３２１の動作を示すフローチャートである。図１７に示す動作は、図１２におけるステップＳ１２０４の換わりに実行される。
図１７に示すように、知人情報取得部３２１は、ユーザのユーザページへのアクセスログを取得する（ステップＳ１７０１）。
そして、知人情報取得部３２１は、取得してある知人ユーザＩＤで示される人物が、ユーザのユーザページに所定期間内にアクセスしているか否かを判定する（ステップＳ１７０２）。具体的には、知人情報取得部３２１は、取得したアクセスログにある各ユーザＩＤについて、新しいものから順に知人ユーザＩＤのユーザＩＤと一致する者があるかを検出する。そして、一致するユーザＩＤがあった場合には、そのアクセス日時が現在から所定期間内（例えば、現在から過去２か月までの間）に行われたものであるかを判定する。これによって、知人ユーザが所定期間内にユーザのユーザページにアクセスしたか否かを判定する。
【００８６】
知人ユーザが所定期間内にアクセスしていた場合には（ステップＳ１７０２のＹＥＳ）、知人情報取得部３２１は、その知人ユーザに対応付けられている顔写真を取得する（ステップＳ１７０３）。
これによって、センターサーバ１００は、疎遠になっている知人を排除し、現在も付き合いのある知人についての知人情報のみを取得することができる。
【００８７】
このような構成を備えることで、センターサーバ１００は、取得する知人ユーザの顔写真の取得に制限を加え、歓迎者情報３３１の増大を防ぐことができる。また、顔写真の総数を抑えることで、来訪者情報を受け付けたときの照合のための時間が長くなることを防げる。
＜変形例３＞
本変形例３においては、上記＜変形例１＞とは異なる絞り込み方法について説明する。
【００８８】
上記実施の形態においては、顔写真を用いた来訪者の照合を行っている。そのため、照合対象となる歓迎者情報や非歓迎者情報における顔写真は、なるべく、それぞれの人物が正面を向いて撮影されたものであることが望ましい。
そこで、制御部３２０は、従来からある顔認識技術を用いて、知人情報として取得した顔写真から、撮影されている人物の顔を特定し、その顔における目、鼻、口などのパーツの配置を特定する。特定した配置から、その人物がどの程度正面を向いているかを判定する。そして、その正面を向いている場合からの確度のずれが所定角度以内（例えば、左右それぞれ１５度以内）であれば、その顔写真を知人情報として歓迎者情報３３１に登録する。
【００８９】
このような構成を備えることで、照合に有効的でない顔写真（例えば片目しか映っていない、頭の後ろしか映っていないなど）の登録を防ぐことができる。
このような構成を備えることで、センターサーバ１００は、取得する知人ユーザの顔写真の取得に制限を加え、歓迎者情報３３１の増大を防ぐことができる。また、顔写真の総数を抑えることで、来訪者情報を受け付けたときの照合のための時間が長くなることを防げる。
＜変形例４＞
本変形例４においては、上記実施の形態とは異なる知人情報の取得方法について説明する。なお、ＳＮＳサーバ１２０を利用することに変わりはない。
【００９０】
ここで、ＳＮＳサーバ１２０は、ユーザ情報４３１として、ユーザの日記情報、あるいは、ユーザがブログやホームページを運営していた場合に、そのブログあるいはホームページへのリンク情報を保持しているものとする。
また、ユーザは、日記、ブログあるいはホームページにおいて、写真などを掲載しているものとする。このとき、ユーザは、知人と遊んだときの写真なども掲載する可能性がある。
【００９１】
したがって、本変形例４においては、知人情報取得部３２１は、ユーザの日記やブログに掲載された写真を取得することとする。ただし、日記やブログに掲載された写真が無秩序に知人情報として登録されないように、知人情報取得部３２１は、以下の機能を有する。
知人情報取得部３２１は、予め、設定されているキーワードをいくつか記憶している。具体的には、「友人」、「知人」、「仲間」、「遊び」、「飲み会」など、知人関係を連想するキーワードが記憶している。そして、日記やブログに写真が掲載されていることを検出した場合には、その周辺の記事に、それらのキーワードに一致するテキストが記載されているか否かを検索する。一致するものがあった場合には、知人情報取得部３２１は、その写真に対して顔検出を行い、検出された顔部分の領域を切り出して知人情報として歓迎者情報３３１に登録する。
【００９２】
このような構成を備えることで、センターサーバ１００は、ユーザの知人情報を取得できる可能性を高めることができる。
＜補足１＞
上記実施の形態に従って、本発明に係るインターホンシステムについて説明してきたが、本発明はこれに限られるものではない。以下、本発明の思想として含まれる各種変形例について説明する。
【００９３】
（１）上記実施の形態において、センターサーバ１００が保持していた、知人情報を取得する機能や、取得した知人情報を記憶する機能、来訪者が知人であるか否かを照合する機能など、センターサーバ１００の制御部３２０及び記憶部３３０により実現される機能をインターホン１１０ａやインターホン１１０ｂが保持することとしてもよい。
この場合には、センターサーバ１００をインターホンシステムに設ける必要はない。
【００９４】
（２）上記実施の形態においては、インターホンからＳＮＳのアカウント情報を入力し、センターサーバ１００に送信するものとした。しかし、センターサーバ１００へのアカウント情報の送信は、インターホンからでなくともよく、ユーザＩＤと、ＳＮＳユーザＩＤと、ＳＮＳ用パスワードとが対応付けられた情報がセンターサーバ１００に送信される構成であれば、別の機器から送信することとしてもよい。例えば、ユーザのＰＣや携帯電話機などから送信することとしてもよい。
【００９５】
（３）上記実施の形態において、アカウント情報を送信する際に、ＳＮＳ用のパスワードだけでなく、インターホンシステムを利用するためパスワードも送信することとしてもよい。
この場合、センターサーバ１００は、予めユーザＩＤ毎に、インターホンシステムを利用するためのパスワードを対応付けて記憶しておき、受信したアカウント情報の正当性を検証するために用いてもよい。
【００９６】
これにより、インターホンシステムのセキュリティ性を向上させることができる。
（４）上記実施の形態において、歓迎者情報や、非歓迎者情報における顔写真は一人につき一つという構成を示したが、同一人物について、複数の顔写真を記憶していてもよい。こうすることで、照合の精度を向上させることができる。
（５）上記実施の形態においては、特に記載していないが、操作部２１２はタッチパッドによって実現されてもよく、操作部２１２とモニタ２１４とを併せてタッチパネルを構成してもよい。
【００９７】
（６）上記実施の形態において、アカウント情報にはＳＮＳパスワードを含む構成としていたが、ユーザがＳＮＳを利用するためのパスワードを設定していない場合には、ＳＮＳパスワードは含まなくともよい。
（７）上記実施の形態において、予め、センターサーバ１００は、予め歓迎者情報３３１を記憶しておき、来訪者があったときに、記憶しておいた歓迎者情報を参照して、照合を行う構成を開示した。しかし、歓迎者情報３３１を記憶しておかずに、インターホンが送信する来訪者情報に、更に、ＳＮＳユーザＩＤとＳＮＳパスワードとを含ませ、これを用いて、照合段階でＳＮＳサーバ１２０にアクセスして、知人であるか否かの判定を行うこととしてもよい。
【００９８】
（８）上記実施の形態のステップＳ１３０５、Ｓ１３０６において、登録部３２３は、来訪者情報に含まれるユーザＩＤに対応する非歓迎者情報のみを照合対象としていた。しかし、知人にとって歓迎できない人物は、自分にとっても歓迎できない人物である可能性が高い。そこで、照合部３２３は、来訪者情報に含まれるユーザＩＤに対応する非歓迎者情報だけでなく、その知人の非歓迎者情報との照合も行って、来訪者が非歓迎者であるか否かの判定を行ってもよい。
【００９９】
これを実現するために、歓迎者情報３３１の各知人の顔写真には、インターホンシステムにおける知人のユーザＩＤを対応付けて記憶しておく。当該知人のユーザＩＤはユーザが登録することとしてよい。あるいは、知人のユーザＩＤは、各ユーザから取得したアカウント情報をセンターサーバ１００が保持しておき、知人情報取得部３２１が知人情報を取得する時にＳＮＳのユーザＩＤに対応する知人ユーザＩＤの中に保持していたアカウント情報の中に一致するものがあれば、そのユーザＩＤを取得して対応付けて記憶しておく構成をとってもよい。
【０１００】
そして、照合部３２３は、来訪者情報に含まれるユーザＩＤの歓迎者情報３３１の中の知人情報に対応付けられているユーザＩＤに対応する知人の非歓迎者情報３３２との照合も実行する。
センターサーバ１００は、このような構成を有していてもよい。
（９）上記実施の構成においては、図１３に示されるように、照合部３２３は、まず、歓迎者情報３３１との照合を行ってから、非歓迎者情報３３２との照合を行う構成を示しているが、これらの照合は、同時並行で実行されてもよい。
【０１０１】
このとき、歓迎者情報３３１と非歓迎者情報３３２との両方の顔写真について、所定以上一致する（尤度が所定の値以上である）ものがあると判定された場合には、尤度の高い方の顔写真が属する方の情報に基づいて、知人か非歓迎者かの通知を実行することとしてよい。
（１０）上記実施の形態においては、センターサーバ１００は、予め歓迎者情報３３１を記憶しておくこととしたが、歓迎者情報３３１を記憶せず、来訪者情報を受け付けるたびに、ＳＮＳサーバ１２０にアクセスして知人情報を取得して、来訪者が知人であるか否かを判定する構成をとってもよい。この場合、来訪者情報には、ＳＮＳユーザＩＤとＳＮＳパスワードも含ませておくとよい。
【０１０２】
（１１）上記実施の形態においては、来訪者の情報の報知について、知人であるか、非歓迎者であるか、不明であるかのみを報知する構成としている。
しかし、来訪者が知人である場合には、さらに、その知人が誰なのかを特定できるように報知してもよい。
この場合、歓迎者情報においては、各顔写真にそれぞれ知人の名前のテキストや、その名前を呼称する音声信号と対応付けて記憶しておく。そして、センターサーバ１００は、歓迎者情報において、来訪者情報の顔写真に一致すると判定された顔写真に対応する名前や音声信号を照合結果に含ませて、インターホンに送信する。
【０１０３】
そして、インターホンは、照合結果に含まれている音声信号を用いて、例えば、「Ａさんが、いらっしゃいました」などと報知することとしてもよい。
（１２）上記実施の形態において、インターホンの室内親機と玄関子機とは、有線で接続されている形態を示したが、室内親機と玄関子機との間の通信は、所定の通信方式（例えば、ＩＥＥＥ８０２．１１ｂ）に従った無線通信であってもよい。
【０１０４】
（１３）上記変形例１においては、国籍による知人情報の絞り込みをかけることを開示したが、ユーザがＳＮＳにおいて、より狭い範囲での所在地（県、州など）を開示していた場合には、同じ県に住む知人など、その所在地での絞り込みをかける構成をとってもよい。
（１４）上記実施の形態に示したインターホンシステムの各動作は、ＣＰＵとＨＤＤなどの記録媒体が連動し、ＣＰＵがプログラムを実行することで、実現されてもよいし、上記実施の形態に示す各機能部が１又は複数の集積回路により実現されることとしてもよい。
【０１０５】
（１５）上記実施の形態および各種変形例、各補足を組み合わせることとしてもよい。
（１６）上述の実施形態で示した通信に係る動作、知人情報の登録処理、来訪者の照合等（図１２、図１３参照）をセンターサーバのプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
＜補足２＞
本実施の形態に係るセンターサーバや、インターホンシステムについての一実施形態と、その実施形態の奏する効果について説明する。
【０１０６】
（２−１）本発明に係るセンターサーバ（１００）は、来訪者を知らせるインターホン（１１０ａ）と、センターサーバとからなるインターホンシステムにおけるセンターサーバであって、ＳＮＳ（Social Network Service）を利用するユーザのアカウント情報を取得するアカウント情報取得手段（３２０）と、前記ＳＮＳのユーザ毎に当該ユーザを識別するためのユーザ識別情報を保持し、知人関係にあるユーザ同士を対応付けて管理しているＳＮＳサーバに、前記アカウント情報を用いてアクセスし、当該アカウント情報のユーザと知人関係にあるとして対応付けられている１以上のユーザについてのユーザ識別情報を知人情報として取得する知人情報取得手段（３２１）と、前記インターホンから、来訪者を識別するための来訪者情報を取得する来訪者情報取得手段（３２０）と、前記知人情報と、前記来訪者情報とを照合する照合手段（３２３）と、前記照合手段による照合結果を、来訪者があった前記インターホンに通知する通知手段（３２０）とを備えることを特徴とする。
【０１０７】
また、本発明に係るインターホンシステムは、ＳＮＳ（Social Network Service）を利用するユーザのアカウント情報を取得するアカウント情報取得手段と、前記ＳＮＳのユーザ毎に当該ユーザを識別するためのユーザ識別情報を保持し、知人関係にあるユーザ同士を対応付けて管理しているＳＮＳサーバに、前記アカウント情報を用いてアクセスし、当該アカウント情報のユーザと知人関係にあるとして対応付けられている１以上のユーザについてのユーザ識別情報を知人情報として取得する知人情報取得手段と、来訪者を識別するための来訪者情報を取得する来訪者情報取得手段と、前記知人情報と、前記来訪者情報とを照合する照合手段と、前記照合手段による照合結果に基づき、来訪者が知人であるか否かを報知する報知手段とを備えることを特徴とする。
【０１０８】
また、本発明に係る来訪者報知方法は、来訪者を知らせるインターホンと、センターサーバとからなるインターホンシステムにおける来訪者報知方法であって、ＳＮＳ（Social Network Service）を利用するユーザのアカウント情報を取得するアカウント情報取得ステップと、前記ＳＮＳのユーザ毎に当該ユーザを識別するためのユーザ識別情報を保持し、知人関係にあるユーザ同士を対応付けて管理しているＳＮＳサーバに、前記アカウント情報を用いてアクセスし、当該アカウント情報のユーザと知人関係にあるとして対応付けられている１以上のユーザについてのユーザ識別情報を知人情報として取得する知人情報取得ステップと、前記インターホンから、来訪者を識別するための来訪者情報を取得する来訪者情報取得ステップと、前記知人情報と、前記来訪者情報とを照合する照合ステップと、前記照合手段による照合結果を、来訪者があった前記インターホンに通知する通知ステップと、前記通知ステップから通知された照合結果に基づき、前記インターホンがユーザに対して来訪者が知人であるか否かを報知する報知ステップとを含むことを特徴とする。
【０１０９】
これにより、センターサーバは、ＳＮＳサーバにあるユーザの知人についての情報を取得するので、ユーザにとっての知人情報を少ない手間で登録することができる。したがって、ユーザに煩雑な操作を要求することなく、来訪者が知人であるか否かを通知できるインターホンシステムを提供できる。
（２−２）上記（２−１）において、前記センターサーバは、更に、前記知人情報取得手段が取得した知人情報を、インターホンシステムを利用するユーザを識別するためのユーザ識別情報毎に対応付けた歓迎者情報（３３１）を記憶する記憶手段（３３０）を備え、前記来訪者情報取得手段は、更に、前記インターホンから、当該インターホンを利用するユーザを示すユーザ識別情報を取得し、前記照合手段は、前記歓迎者情報を参照して、前記来訪者情報取得手段が取得したユーザ識別情報に対応する知人情報（７０２）に前記来訪者が登録されているか否かを照合することとしてもよい。
【０１１０】
これにより、センターサーバは、歓迎者情報を記憶しておくので、来訪者情報を受け付けるたびに、ＳＮＳサーバにアクセスして、知人情報を取得する必要がなくなる。
（２−３）上記（２−２）において、前記アカウント情報は、ユーザＩＤ（９０２）を含み、前記ＳＮＳサーバは、ユーザＩＤ毎に、各ユーザＩＤで示されるユーザの知人の知人ユーザＩＤを対応付けた交友関係情報（４３１）を保持し、前記知人情報取得手段は、前記交友関係情報において、前記アカウント情報取得手段が取得したアカウント情報に含まれるユーザＩＤに対応付けられた知人ユーザＩＤ（５２１、５２２）に関連する情報を、前記知人情報として取得することとしてもよい。
【０１１１】
ＳＮＳサーバにおいて、ユーザと知人との情報が対応付けられていることにより、センターサーバは、着実にユーザの知人の情報を取得することができる。
（２−４）上記（２−３）において、前記知人情報とは、知人の顔写真のデータであり、前記来訪者情報取得手段は、前記インターホンの呼び鈴を来訪者が鳴らしたときに当該来訪者を撮影した顔写真のデータを前記来訪者情報として取得し、前記照合手段は、前記歓迎者情報において前記来訪者情報取得手段が取得したユーザ識別情報に対応する知人情報の顔写真のデータに、前記来訪者情報取得手段が取得した顔写真のデータと所定以上類似する顔写真のデータがある場合に、来訪者が前記歓迎者情報に登録されていると判別することとしてもよい。
【０１１２】
これにより、センターサーバは、来訪者が知人であるか否かを、来訪者を撮影して得られる顔写真を用いて判定することができる。
（２−５）上記（２−４）において、前記ＳＮＳサーバは、更に、ユーザのアカウント毎に、当該ユーザの国籍情報を保持し、前記知人情報取得手段は、アカウント情報で示されるユーザＩＤに対応する知人ユーザＩＤで示されるユーザのうち、アカウント情報のユーザの国籍と同一の国籍の知人ユーザに関連する情報を前記知人情報として取得することとしてもよい。
【０１１３】
これにより、センターサーバは、来訪者が知人であるか否かを判定するのに、有効な知人情報のみを蓄積することができ、無用な知人情報の増大を防ぐことができるので、センターサーバの記憶容量を圧迫する可能性を低減できる。
（２−６）上記（２−４）において、前記ＳＮＳサーバは、更に、ユーザのアカウント毎に、当該ユーザの国籍情報を保持し、前記知人情報取得手段は、アカウント情報で示されるユーザＩＤに対応する知人ユーザＩＤで示されるユーザのうち、アカウント情報のユーザの国籍と同一の国籍の知人ユーザに関連する情報を前記知人情報として取得することとしてもよい。
【０１１４】
これにより、センターサーバは、ユーザの家を訪問する可能性が高い同じ国籍の人間に絞り込んで知人情報を取得することができる。したがって、顔写真を用いて来訪者を照合するのにより有効な知人の顔写真を取得することができる。
（２−７）上記（２−４）において、前記ＳＮＳサーバは、前記アカウント情報に含まれるユーザＩＤのユーザページにアクセスしたユーザを特定するためのアクセスログを保持し、前記知人情報取得手段は、前記交友関係情報において、アカウント情報で示されるユーザＩＤに対応する知人ユーザＩＤで示されるユーザのうち、現在から過去までの一定期間の間に前記ユーザページにアクセスしたユーザを前記アクセスログから特定し、特定したユーザに関連する情報を前記知人情報として取得することとしてもよい。
【０１１５】
これにより、センターサーバは、現時点から所定範囲の過去までの知人に限定して知人情報を取得できるようになる。即ち、センターサーバは、現時点でユーザと付き合いのある知人の情報を取得し、疎遠になっている知人の情報を取得しないようにすることができる。また、センターサーバが取得する知人情報に制限を加えることができるので、知人情報が膨大な量になることを防ぐことができる。
【０１１６】
（２−８）上記（２−４）において、前記知人情報取得手段は、前記アカウント情報に含まれるユーザＩＤのユーザのブログにアクセスし、当該ブログにおいて、予め定められたキーワードに対応する写真データを前記知人情報として取得することとしてもよい。
これにより、センターサーバは、更に、知人情報を取得できる可能性を高めることができる。
【０１１７】
（２−９）上記（２−４）において、前記記憶手段は、更に、前記インターホンから、来訪者があった場合であって当該来訪者が非歓迎者であることを示す情報を受け付けた場合に、前記来訪者情報取得手段が取得したユーザ識別情報に、来訪者の顔写真のデータを対応付けて、当該来訪者が非歓迎者であることを示す非歓迎者情報として記憶し、前記照合手段は、更に、前記非歓迎者情報を参照して、前記来訪者情報取得手段が取得した顔写真で示される来訪者が非歓迎者であるか否かも照合し、前記通知手段は、来訪者が、知人であるか、非歓迎者であるか、あるいはいずれでもないかを通知することとしてもよい。
【０１１８】
これにより、センターサーバは、更に、来訪者がユーザにとって非歓迎者であるか否かも照合でき、インターホンは、来訪者がユーザにとって訪ねてきて欲しくない人物かどうかも認識させることができる。
（２−１０）上記（２−９）において、前記照合手段は、更に、前記知人情報において、前記来訪者情報取得手段が取得したユーザ識別情報に対応する知人ユーザの非歓迎者情報も参照して、来訪者が非歓迎者であるか否かを判別することとしてもよい。
【０１１９】
これにより、ユーザの知人が自宅を訪問して欲しくないと感じている人物の来訪を、ユーザが認識できるようになる。
【符号の説明】
【０１２０】
１００  センターサーバ
１１０ａ、１１０ｂ  インターホン
１２０  ＳＮＳ（Social Network Service）サーバ
１３０  ネットワーク
２１１  通信部
２１２  操作部
２１３  上位Ｉ／Ｆ
２１４  モニタ
２１５  音声処理部
２１６  マイク
２１７  スピーカー
２１８  制御部
２２１  カメラ
２２２  呼出ボタン
２２３  音声処理部
２２４  マイク
２２５  スピーカー
２２６  下位Ｉ／Ｆ
３１０  通信部
３２０  制御部
３２１  知人情報取得部
３２２  登録部
３２３  照合部
３３０  記憶部
３３１  歓迎者情報
３３２  非歓迎者情報
４１０  通信部
４２０  制御部
４３０  記憶部
４３１  ユーザ情報
【図１】
0005891421.tif 000002
【図２】
0005891421.tif 000003
【図３】
0005891421.tif 000004
【図４】
0005891421.tif 000005
【図５】
0005891421.tif 000006
【図６】
0005891421.tif 000007
【図７】
0005891421.tif 000008
【図８】
0005891421.tif 000009
【図９】
0005891421.tif 000010
【図１０】
0005891421.tif 000011
【図１１】
0005891421.tif 000012
【図１２】
0005891421.tif 000013
【図１３】
0005891421.tif 000014
【図１４】
0005891421.tif 000015
【図１５】
0005891421.tif 000016
【図１６】
0005891421.tif 000017
【図１７】
0005891421.tif 000018